(57)【要約】  【課題】  談話等、限定された場に関連する情報を、その場に居合わせない人に伝達する。  【解決手段】  識別子読取部１０は、書類の識別子のバーコードを読み取る。表示対象情報取得部１１は、識別子読取部１０から識別子の情報を受取り、これに基づいて表示対象情報記憶部１２をアクセスして表示対象情報を取り出す。表示対象情報取得部１１は取りだした表示対象情報を表示対象情報表示部１３に供給する。表示対象情報表示部１３は例えばプロジェクタであり、天井２００に関連情報を投影表示する。【選択図】  図１
2005267422.tif 000002
【特許請求の範囲】
【請求項１】
対象物が担持する識別子を読み取る識別子読取手段と、
上記識別子に関連付けて表示対象情報を記憶する表示対象情報記憶手段と、
上記識別子読取手段により読み取られた識別子に基づいて上記表示対象情報記憶手段から対応する表示対象情報を取得する表示対象情報取得手段と、
上記表示対象取得手段により取得された表示対象情報を建築物内部の天井に表示する表示対象情報表示手段とを有することを特徴とする情報表示装置。
【請求項２】
上記対象物は書類である請求項１記載の情報表示装置。
【請求項３】
上記識別子は上記書類を構成する少なくとも１枚の紙材料の裏面にバーコードの形態で印刷されている請求項２記載の情報表示装置。
【請求項４】
上記識別子は上記書類を構成する少なくとも１枚の紙材料にＲＦＩＤタグの形態で保持されている請求項２記載の情報表示装置。
【請求項５】
上記対象物は人間である請求項１記載の情報表示装置。
【請求項６】
上記識別子は上記人間が保持するＲＦＩＤタグの形態で保持されている請求項５記載の情報表示装置。
【請求項７】
上記表示対象情報表示手段は、表示対象情報を上記天井に投影するプロジェクタ装置である請求項１〜６のいずれかに記載の情報表示装置。
【請求項８】
上記表示対象情報表示手段は、複数設けられる請求項１〜７のいずれかに記載の情報表示装置。
【請求項９】
上記複数設けられた上記表示対象情報表示手段は、同一の表示対象情報を表示する請求項８記載の情報表示装置。
【請求項１０】
上記複数設けられた上記表示対象情報表示手段は、その表示位置に応じた表示対象情報を表示する請求項８記載の情報表示装置。
【請求項１１】
対象物が担持する識別子を読み取る識別子読取手段と、
上記識別子に関連付けて表示対象情報を記憶する表示対象情報記憶手段と、
上記識別子読取手段により読み取られた識別子に基づいて上記表示対象情報記憶手段から対応する表示対象情報を取得する表示対象情報取得手段と、
上記表示対象取得手段により取得された表示対象情報を建築物内部の側壁に表示する表示対象情報表示手段とを有することを特徴とする情報表示装置。
【請求項１２】
識別子読取手段が対象物が担持する識別子を読み取るステップと、
表示対象情報記憶手段が上記識別子に関連付けて表示対象情報を記憶するステップと、
表示対象情報取得手段が上記識別子読取手段により読み取られた識別子に基づいて上記表示対象情報記憶手段から対応する表示対象情報を取得するステップと、
表示対象情報表示手段が、上記表示対象取得手段により取得された表示対象情報を建築物内部の天井に表示するステップとを有することを特徴とする情報表示方法。
【請求項１３】
識別子読取手段が対象物が担持する識別子を読み取るステップと、
表示対象情報記憶手段が上記識別子に関連付けて表示対象情報を記憶するステップと、
表示対象情報取得手段が上記識別子読取手段により読み取られた識別子に基づいて上記表示対象情報記憶手段から対応する表示対象情報を取得するステップと、
表示対象情報表示手段が、上記表示対象取得手段により取得された表示対象情報を建築物内部の天井に表示するステップとをコンピュータに実行させるために用いられることを特徴とする情報表示用コンピュータプログラム。
【発明の詳細な説明】
【技術分野】
【０００１】
この発明は、例えば、人々が集合しているオフィスで談話が持たれている際に、直接談話に参加していない人に対しても、談話に直接または間接的に関係する情報を提供して情報の共有化を図る際に最適な情報表示技術に関する。
【背景技術】
【０００２】
多くの人々が在席しているオフィスにおいて談話が持たれる場合、談話に関連する情報は基本的には談話に参加する人に限定的に共有される。例えば、所定の書類を参照しながら、会議を進める場合、その書類を参照できるのは、その会議の参加者のみである。
【０００３】
ところで、オフィスに在席している人々は共通のプロジェクトを行なっている場合等では、プロジェクト参加者の間でなるべく情報を共有し、プロジェクトを円滑に進めたり、またプロジェクト実行上有益なヒント情報を提供することが望まれる。そして、上述のような談話等の閉鎖的な環境においても、関連情報を関連する人に広く周知させることが望まれる。
【０００４】
なお、この発明と関連する特許文献としてはつぎのようなものがある。
【０００５】
特許文献１は、飛行船型の浮遊ロボットに顔識別センサなどを設け、対象の人を認識してその場所まで移動して目的の情報を提示することを開示している。この手法では特定の人にしか情報を伝達できない。
【０００６】
特許文献２は、複数の鑑賞者が共有する広角表示装置と個々の鑑賞者に対応した補助表示装置を併用することで、映像体験の共有と個別化を同時に可能にすることを開示している。この手法も、限定された場に関連する情報をその場の外部の人に伝達するものではない。
【特許文献１】特開２００２−６７８４公報
【特許文献２】特開２００１−３１８６６４公報
【発明の開示】
【発明が解決しようとする課題】
【０００７】
この発明は、以上の事情を考慮してなされたものであり、談話等、限定された場に関連する情報を、その場に居合わせない人に伝達する情報表示技術を提供することを目的としている。
【課題を解決するための手段】
【０００８】
この発明の具体的な適用例では、人々が集合するオフィスにおいて、ワーカの自席周辺で談話を行う際に、その談話で利用されている文書などの情報を天井に映写することで、その談話に直接参加していない同僚に対しても情報伝達を行う。例えば、利用する文書をサーバに登録しておき、それを紙に印刷する際に裏面にバーコードなどの識別子を付加する。談話の際にはこの識別子を有する紙文書をテーブルや原稿台などの識別子読み取り装置に載置することで、サーバから同一内容の文書画像を取得し、天井に映写する。
【０００９】
さらにこの発明を説明する。
【００１０】
この発明の一側面によれば、上述の目的を達成するために、情報表示装置に：対象物が担持する識別子を読み取る識別子読取手段と；上記識別子に関連付けて表示対象情報を記憶する表示対象情報記憶手段と；上記識別子読取手段により読み取られた識別子に基づいて上記表示対象情報記憶手段から対応する表示対象情報を取得する表示対象情報取得手段と；上記表示対象取得手段により取得された表示対象情報を建築物内部の天井に表示する表示対象情報表示手段とを設けるようにしている。
【００１１】
この構成においては、対象物の検出に基づいて所定の場を認識し、この場に関連する表示対象情報を天井に表示させることができる。所定の場は、例えば、談話や、所定の人物の登場等である。談話の場合には、例えば、談話で用いる書類が対象物であり、これに担持された識別子を認識して対応する表示対象情報、例えばその書類内容を天井に表示する。上記対象物が書類の場合、上記識別子は上記書類を構成する少なくとも１枚の紙材料の裏面にバーコードの形態で印刷されたり、あるいは、上記書類を構成する少なくとも１枚の紙材料にＲＦＩＤタグの形態で保持されている。このタグは紙材料に貼付されてもよいし、漉き込まれても良い。
【００１２】
また、上記対象物は人間であってもよいし、所定の物品や装置であってもよい。人間が対象物である場合には、その人が公開したい情報等を天井に表示する。物品や装置が対象物の場合にはその取り扱い説明等を天井に表示する。
【００１３】
上記表示対象情報表示手段は、典型的には表示対象情報を上記天井に投影するプロジェクタ装置であるが、これに限定されない。
【００１４】
上記表示対象情報表示手段は、例えば複数設けられ、これら複数設けられた上記表示対象情報表示手段は、同一の表示対象情報を表示してもよいし、その表示位置に応じた表示対象情報を表示してもよい。
【００１５】
また、天井でなく居室の側壁に表示内容を投影するようにしても良い。
【００１６】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１７】
この発明の上述の側面および他の側面は特許請求の範囲に記載され以下実施例を用いて詳述される。
【発明の効果】
【００１８】
この発明によれば、例えば、人々が集合するオフィスでの談話において、話に直接参加していない人に対しても話題が共有できるようにすることで、関係する相手に情報を広く周知させることができる。具体的な例では、文書をはさんで談話を行う際に、特別な操作を行うことなくその内容を表示することができる。
【発明を実施するための最良の形態】
【００１９】
以下、この発明の実施例について説明する。
【００２０】
図１は、この実施例の情報表示システム１００を模式的に示しており、こお情報表示システム１００の各構成要素の配置例を図２および図３に示す。図２および図３はこの実施例の適用環境の例を示しており、この環境では、机３００の点板にプラテン３０１が設けられプラテン３０１を介して識別子読取部１０が書類１０１等の識別子を読み取るようになっている。もちろんこの発明はこれに限定されない。
【００２１】
図１〜図３において、情報表示システム１００は、識別子読取部１０、表示対象情報取得部１１、表示対象情報記憶部１２、表示対象情報表示部１３等を含んで構成されている。
【００２２】
識別子読取部１０は、所定の対象物の識別子を読み取るものであり、図２および図３の例では、机３００のプラテン３０１の下部に配置され、プラテン３０１上に載置された対象物の識別子、例えばバーコードの形態の識別子を読み取る。識別子読取部１０は典型的にはバーコード読取機であるが、ＲＦＩＣタグ読取機やＩＣカード読取機等任意の識別子読取手段を採用できる。なお、以下ではとくに限定しない限り、一例としてバーコードを用いた場合を説明する。
【００２３】
表示対象情報記憶部１２は、表示対象となる文書（画像ファイル等を含む）を記憶管理するものであり、各文書は識別子に関連付けられている。表示対象情報記憶部１２は典型的にはファイルサーバである。ユーザは、表示対象情報記憶部１２の文書にプリント要求等を行い、プリンタ１４等を用いてプリント出力させることができ、プリントした文書を用いて談話等を行なえる。なお、プリンタ１４のプリント要求時に文書の最終ページに識別子のバーコードがプリントされるようにする。例えば、この実施例の情報表示システム用のプリント出力であることを指定することにより、最終ページに当該識別子のバーコードをプリントする。もちろん、すべてのページの裏面に、あるいは、最終ページに加え他の所定置きのページの裏面に同一のバーコードをプリントしても良い。
【００２４】
表示対象情報取得部１１は、識別子読取部１０から識別子の情報を受取り、これに基づいて表示対象情報記憶部１２をアクセスして表示対象情報を取り出す。表示対象情報の量が多い場合には、１枚めのページ（ただし１枚めがカバー双頭の場合にはそれを識別してスキップし実質的な冒頭ページを取り出す）や、当該文書の要約を取り出す。表示対象情報取得部１１は取りだした表示対象情報を表示対象情報表示部１３に供給する。表示対象情報表示部１３は例えばプロジェクタである。プロジェクタを用いるととくに備品を要することなく天井２００に表示対象情報の映像を投影することができる。もちろん、天井に液晶表示装置等の表示装置を取り付けるようにしても良い。
【００２５】
図２および図３に示す例では、コンピュータ１０７に表示対象情報取得部１１および表示対象情報記憶部１２を実装している。
【００２６】
この実施例において、図２および図３に示すように２人の談話者４００、４０１が机３００を挟んで談話しているとする。机３００の上には書類１０１が載置され、談話者４００、４０１はこの文書を利用して会話を交わしている。書類１０１は例えば１枚の用紙であり、図４に示すように、表面にテキスト等がプリントされ、さらに裏面にバーコード１０１ａがプリントされている。識別子読取部１０は、書類１０１の裏面のバーコード１０１ａを読み取り、これを表示対象情報取得部１１に供給する。そうすると、この表示対象情報取得部１１が表示対象情報記憶部１２に識別子を引数として情報取得要求を行い、上記書類１０１の元になる文書を取り出し、その内容を表示対象情報表示部１３に送り、表示対象情報表示部１３はこれを天井２００に投影する。なお、表示対象情報表示部１３は一例として机３００の近傍に配置されているものとする。もちろん、離して配置しても良い。
【００２７】
談話者４００、４０１以外の者は直接には書類１０１を閲覧することは困難であるが、机３００の近くにいる人は天井の投影画像を視聴してその内容を把握することができる。机３００の近くにいる人は基本的には談話者４００、４０１とプロジェクト等を共通にする人が多いと考えられ、また、共通の業務課題を有している場合が多いと考えられるから、天井２００の画像を視聴してそれを自らの業務に有効活用できると予想される。
【００２８】
なお、図４ではバーコードを例にしたが破線で示すようにＲＦＩＣタグ１０１ｂを書類１０１に貼付したり、その紙材料に漉き込んでもよい。
【００２９】
上述実施例の情報表示システム１００は図５に示すように各机３００の周りに配置しても良い。図５はオフィスの平面図である。各机３００には対象情報表示部（例えばプロジェクタ）１３が配置され、オフィスの天井（図１の２００）に関連情報を投影する。
【００３０】
また、対象情報表示部（例えばプロジェクタ）１３は、オフィスの要所、要所に設けるものでも良いし、例えば図６に示すようにパーティション５０１（仕切り壁）に埋め込んでも良い。
【００３１】
図５に示すように複数の情報表示システム１００を実装するには例えば図７に示すようにシステム構成を採用することができる。図７において、複数の情報表示サブシステム１０２、ファイルサーバ１０５、プリンタ１４等がネットワーク１０６を介して接続されている。情報表示サブシステム１０２は、識別子読取部１０、読取部コントローラ（例えばコンピュータ）１０３、表示対象情報表示部（例えばプロジェクタ）１３、表示部コントローラ（例えばコンピュータ）１０４等を含んで構成される。各情報表示サブシステム１０２では、識別子読取部１０が書類等から識別子を読み取り、これを読取部コントローラ１０３の制御の下、表示部コントローラ１０４に送り、表示部コントローラ１０４は表示対象情報取得部１１として動作しファイルサーバ１０５（表示対象情報記憶部１２）から表示対象情報を取りだして表示対象情報表示部（例えばプロジェクタ）１３を用いて表示を行なう。
【００３２】
情報表示サブシステム１０２の各々は各載置場所において天井に画像を投影表示する。
【００３３】
なお、ファイルサーバ１０５は例えば図８に示すように識別子、ファイル名の他に表示属性を含むことができ、この表示属性を用いて種々のルールで表示制御を行なえる。例えば、情報表示サブシステム１０２の載置場所に関連して所定のフラグがたっている場合には、そのフラグに該当する属性の文書の投影表示を禁止させるようにできる。また、どの場所に表示されるかを規定することができる。例えばユーザＡの机で識別子を読み込んでも、他の人の机の近傍で投影表示を行なわせたり、全部の場所で投影表示を行なわせたり、または共通エリアで投影表示を行なわせて利しても良い。投影表示の要求が衝突することも予想されるので優先順位を記述しても良い。
【００３４】
なお、この発明は上述の実施例に限定されるものではなくその趣旨を逸脱しない範囲で種々変更が可能である。例えば、上述の例では、書類の識別子に応じて対応する情報を天井に投影表示したが、人や物品、装置の識別子を用いても良い。例えば図９に示すように人４０３がＲＦＩＣタグやＩＣカード４０４を保持してこれを識別子読取部１０で読み取り、この識別子に関連付けた文書またはその要約や関連情報を表示するようにしても良い。ユーザはファイルサーバ等に登録した文書を公開したい場合には図８に示すように属性にその旨記述して所定の公開ルールが適用されるようにできる。また、物品や装置４０５に同様にＲＦＩＣタグを設けてもよい。この場合も関連する文書等を天井に表示できる。この場合物品や装置の取り扱い説明等を表示しても良い。
【図面の簡単な説明】
【００３５】
【図１】この発明の実施例の情報表示システムを全体として示すブロック図である。
【図２】上述実施例の情報表示システムが適用される環境を説明する図である。
【図３】上述実施例の情報表示システムが適用される環境を説明する図である。
【図４】上述実施例における文書の識別子の読み取り例を説明する図である。
【図５】上述実施例の情報表示システムを複数配置する例を説明する図である。
【図６】上述実施例の情報表示システムの表示対象情報表示部１３をパーティションに埋め込む例を説明する図である。
【図７】図５の例を実装するシステム構成例を説明する図である。
【図８】上述実施例の表示制御を説明する図である。
【図９】上述実施例の変形例を説明する図である。
【符号の説明】
【００３６】
１０      識別子読取部
１１      表示対象情報取得部
１２      表示対象情報記憶部
１３      表示対象情報表示部
１４      プリンタ
１００      情報表示システム
１０１      書類
１０１ａ      バーコード
１０１ｂ      タグ
１０２      情報表示サブシステム
１０３      読取部コントローラ
１０４      表示部コントローラ
１０５      ファイルサーバ
１０６      ネットワーク
１０７      コンピュータ
２００      天井
３００      机
３０１      プラテン
４００、４０１      談話者
４０３      人
４０４      カード
４０５      装置
５０１      パーティション
【図１】
2005267422.tif 000003
【図２】
2005267422.tif 000004
【図３】
2005267422.tif 000005
【図４】
2005267422.tif 000006
【図５】
2005267422.tif 000007
【図６】
2005267422.tif 000008
【図７】
2005267422.tif 000009
【図８】
2005267422.tif 000010
【図９】
2005267422.tif 000011